(57)【要約】【課題】テレビにＥＰＧと視聴中の番組映像が合成されて表示される場合、番組映像を表示させる領域の分だけ、ＥＰＧの表示領域が狭くなり、一度に確認できる情報量が減りユーザの利便性が損なわれる。【解決手段】放送波を受信する第１の表示装置と、第１の表示装置と接続される第２の表示装置とからなるマルチディスプレイ装置であって、第１の表示装置は、放送波から受信した番組情報を表示する表示部と、放送波から受信した映像を第２の表示装置に対して送信する送信部と、番組情報を表示部で表示するように表示部を制御し、また、映像を第２のディスプレイに送信するように送信部を制御する制御部とを備え、第２の表示装置は、第１の表示装置から映像を受信する受信部と、受信した映像を表示する表示部とを備えることを特徴とするマルチディスプレイ表示装置。【選択図】図３
2014123802.tif 000002
【特許請求の範囲】
【請求項１】
放送波を受信する第１の表示装置と、前記第１の表示装置と接続される第２の表示装置とからなるマルチディスプレイ装置であって、
前記第１の表示装置は、
前記放送波から受信した番組情報を表示する表示部と、
前記放送波から受信した映像を前記第２の表示装置に対して送信する送信部と、
前記番組情報を前記表示部で表示するように前記表示部を制御し、また、前記映像を前記第２のディスプレイに送信するように前記送信部を制御する制御部とを備え、
前記第２の表示装置は、
前記第１の表示装置から前記映像を受信する受信部と、
受信した前記映像を表示する表示部と
を備えることを特徴とするマルチディスプレイ表示装置。
【請求項２】
前記第１の表示装置の前記制御部は、さらに、前記映像と前記番組情報とを前記第１の表示部で表示するか否かを判断し、前記映像と前記番組情報とを前記第１の表示部で表示する場合は、前記表示部に対して前記映像と前記番組情報とを表示するよう制御する請求項１記載のマルチディスプレイ表示装置。
【請求項３】
前記番組情報は、ＥＰＧであることを特徴とする請求項１記載のマルチディスプレイ表示装置。
【発明の詳細な説明】
【技術分野】
【０００１】
本発明はマルチディスプレイ表示装置に関する。より詳しくは、テレビ放送における番組と付加情報の表示装置に関する。
【背景技術】
【０００２】
近年、スマートフォンやタブレットなどの個人向け携帯端末の普及が進んでいる。
【０００３】
これらの端末は、一般的なテレビの画面サイズに対して、小型でありながら高解像度のディスプレイを有するものが増えてきており、写真や動画など、映像を高画質に表示することが可能になっている。
【０００４】
また、従来テレビ放送の視聴中において、電子番組表（以下、ＥＰＧ）を使用する場合、テレビ画面にＥＰＧが全面表示または視聴中の番組内容が画面内の一部に縮小表示されるものであった。ＥＰＧ使用時の利便性、視認性を高める手段として、例えば、ＥＰＧの文字の視認性を高めるために、特許文献１のようにリモコンに内蔵されたディスプレイにＥＰＧの詳細情報を表示させるものが知られている。
【先行技術文献】
【特許文献】
【０００５】
【特許文献１】特開２００４−１９４２４９号公報
【発明の概要】
【発明が解決しようとする課題】
【０００６】
上記従来の技術によれば、ＥＰＧを全面表示することで、現在視聴中の番組が表示されないことや、番組をテレビ画面の一部分に表示させることで、ＥＰＧの表示領域が狭くなり一度に確認できる情報量が減るという課題がある。
【０００７】
本発明は上記課題を解決することを目的とする。
【課題を解決するための手段】
【０００８】
前記従来の課題を解決する為に、放送波を受信する第１の表示装置と、前記第１の表示装置と接続される第２の表示装置とからなるマルチディスプレイ装置であって、前記第１の表示装置は、前記放送波から受信した番組情報を表示する表示部と、前記放送波から受信した映像を前記第２の表示装置に対して送信する送信部と、前記番組情報を前記表示部で表示するように前記表示部を制御し、また、前記映像を前記第２のディスプレイに送信するように前記送信部を制御する制御部とを備え、前記第２の表示装置は、前記第１の表示装置から前記映像を受信する受信部と、受信した前記映像を表示する表示部とを備える。
【発明の効果】
【０００９】
本発明のマルチディスプレイ表示装置によれば、ユーザがすでに所有している個人端末を利用することによって、テレビ画面全体にＥＰＧ情報を表示しながら、視聴中のテレビ番組を個人端末に表示させることで、ユーザの利便性を向上させることができる。
【図面の簡単な説明】
【００１０】
【図１】実施の形態におけるマルチディスプレイ表示装置の概念図
【図２】実施の形態におけるマルチディスプレイ表示装置のブロック図
【図３】実施の形態におけるマルチディスプレイ表示のフローチャート
【図４】実施の形態におけるマルチディスプレイ表示装置の表示の一例
【発明を実施するための形態】
【００１１】
（実施の形態）
以下、図面を参照しながら、実施の形態について説明する。
＜機器の構成＞
図１は、実施の形態におけるマルチメディアディスプレイ表示装置の概念図である。マルチディスプレイ表示装置１００は、第１のディスプレイ１０１と第２のディスプレイ１２０とから構成される。第１のディスプレイ１０１は、例えばデジタルテレビであり、第２のディスプレイ１２０は、例えばスマートホンやタブレット、画面表示機能付きのリモコンなどである。
【００１２】
図２は、マルチディスプレイ表示装置のブロック図である。
【００１３】
以下、図２に示された各構成要素について説明を行う。
【００１４】
マルチディスプレイ表示装置１００は、放送波から受信した番組映像とＥＰＧやデータ放送について、第１のディスプレイ１０１にはＥＰＧやデータ放送を表示させ、第２のディスプレイ１２０に視聴中の番組映像を表示するものである。マルチディスプレイ表示装置１００は、第１のディスプレイ１０１と、第２のディスプレイ１２０とを含む。マルチディスプレイ表示装置１００は、具体的には放送波の受信が可能なデジタルテレビと、スマートフォンやタブレットなどの個人用端末によって実現される。
【００１５】
第１のディスプレイ１０１は、放送波を受信してデコードした番組映像１０２とＥＰＧ１０３とを入力とし、表示内容決定部１０４によって、番組映像とＥＰＧを第１のディスプレイ１０１と第２のディスプレイ１２０にどのように映像を表示させるかを決定する。
【００１６】
主画面映像生成部１０５は、第１のディスプレイ１０１に表示させる映像データを生成し、主画面映像表示部１０６で第１のディスプレイ１０１に映像を表示させる。
【００１７】
副画面映像生成部１０７は、第２のディスプレイ１２０に表示させる映像データを生成し、データ転送部１１０で第２のディスプレイ１２０に映像データを転送する。
【００１８】
データ転送はＤＬＮＡを用いて実現する。あるいは、映像圧縮による画質劣化を防ぐためにＷＨＤＩやＷｉｒｅｌｅｓｓ  ＨＤなどの無線ＨＤ映像伝送技術を用いてもよい。
【００１９】
表示内容決定部１０４は、番組映像１０２とＥＰＧ１０３を入力とし、ユーザ選択部１１５によって表示方法を選択された結果と、ディスプレイ選択部１１１によって通信可能な第２のディスプレイが存在するかの結果とから、番組映像とＥＰＧを第１のディスプレイ１０１と第２のディスプレイ１２０にどのように映像を表示させるかを決定する。そして、第１のディスプレイ１０１に表示するために主画面映像生成部１０５に、第２のディスプレイ１２０に表示するために副画面映像生成部１０７に、それぞれ映像データを出力する。
【００２０】
表示内容決定部１０４は、ユーザ選択部１１５からは、マルチディスプレイ表示を実行するかどうかのフラグ情報を受ける。また、ディスプレイ選択部１１１からは、第１のディスプレイ周辺に第２のディスプレイとなりうる端末が存在し、マルチディスプレイ表示が可能か否かのフラグ情報を受ける。
【００２１】
表示内容決定部１０４は、主画面映像生成部１０５へは第１のディスプレイへ表示させるために、副画面映像生成部１０７へは第２のディスプレイへ表示させるために、番組映像または、番組映像とＥＰＧが合成された映像信号と、マルチディスプレイ表示の有無を示すフラグ情報とを送る。
【００２２】
主画面映像生成部１０５は、表示内容決定部１０４からの映像信号とマルチディスプレイ表示の有無を示すフラグ情報を入力とし、第１のディスプレイに表示するための映像信号を生成し、主画面映像表示部１０６へ第１のディスプレイ用の映像信号を出力する。
【００２３】
主画面映像表示部１０６は、主画面映像生成部１０５からの第１のディスプレイ用の映像信号を入力とし、第１のディスプレイに映像を表示する。
【００２４】
副画面映像生成部１０７は、表示内容決定部１０４からの映像信号とマルチディスプレイ表示の有無を示すフラグ情報を入力とし、第２のディスプレイに表示するための映像信号を生成し、フォーマット変換部１０８へ第２のディスプレイ用の映像信号を出力する。
【００２５】
フォーマット変換部１０８は、副画面映像生成部１０７からの第２のディスプレイ用の映像信号を入力とし、ディスプレイ情報取得部１１３から得られる第２のディスプレイの解像度情報から第２のディスプレイ解像度にあわせて映像信号を拡大または縮小するリサイズ処理し、画質調整部１０９へリサイズ後の映像信号を出力する。
【００２６】
第１のディスプレイ１０１は、第２のディスプレイ１２０と、ディスプレイ間通信部１１２を通じて通信する。第１のディスプレイ１０１と、第２のディスプレイとは、例えば、赤外線、または、無線を通じて通信する。第１のディスプレイ１０１は、ディスプレイ間通信部１１２を通じて第２のディスプレイ１２０と通信し、第２のディスプレイの解像度を取得する。
【００２７】
ディスプレイ情報取得部１１３は、ディスプレイ間通信部１１２で取得した第２のディスプレイの解像度を、フォーマット変換部１０８へ出力する。
【００２８】
ディスプレイ選択部１１１は、ディスプレイ間通信部１１２を通じて、第２のディスプレイ１２０との通信を試み、第１のディスプレイ１０１周辺に第２のディスプレイ１２０となりうるディスプレイが存在するかどうかを検出する。第２のディスプレイ１２０が存在するか否かを表すマルチディスプレイ表示が可能か否かのフラグ情報が、ディスプレイ間通信部１１２からディスプレイ選択部１１１に送られる。
【００２９】
ユーザ選択部１１５は、リモコン１１４からの信号を受信する。ユーザはリモコン１１４を操作して、ＥＰＧ表示時に番組映像とＥＰＧとをマルチディスプレイ表示するか否かを選択する。ユーザが選択した結果は、表示内容決定部１０４に対して、マルチディスプレイ表示を実行するかどうかのフラグ情報として送られる。リモコン１１４と、第１のディスプレイ１０１とは、例えば赤外線や無線等を用いて通信する。
【００３０】
画質調整部１０９は、フォーマット変換部１０８から送られた第２のディスプレイ１２０の解像度に合わせてリサイズされた映像信号を入力とし、入力した映像に適した画質調整を行い、データ転送部１１０へ画質調整後の映像信号を出力する。
【００３１】
データ転送部１１０は、画質調整部１０９から画質調整された映像信号を入力とし、第２のディスプレイ１２０に対して映像信号を送る。
【００３２】
第２のディスプレイ１２０は、第１のディスプレイ１０１とはディスプレイの大きさや解像度の異なるディスプレイである。第２のディスプレイ１２０は、副画面映像受信部１２１で第１のディスプレイから出力された映像信号を受信し、副画面映像表示部１２２で第２のディスプレイに映像表示させる。
【００３３】
副画面映像受信部１２１は、データ転送部１１０からの映像信号を入力とし、副画面映像表示部１２２へ映像信号を出力する。
＜機器の動作＞
以下、図３を参照しながらマルチディスプレイ表示装置１００の処理手順を説明する。
【００３４】
まず、ステップＳ１０１においてリモコン１１４からＥＰＧ表示ボタンが押されると、ステップＳ１０２に移る。そして、視聴中の番組映像とＥＰＧが合成された映像を第１のディスプレイ１０１に表示する。
【００３５】
ステップＳ１０３において、第１のディスプレイ１０１に表示された番組映像とＥＰＧとの合成画面の上で、ユーザが視聴番組の部分にカーソルを合わせて選択した場合、ステップＳ１０４に移る。視聴番組の部分にカーソルを合わせず、カーソルを合わせても選択しない場合は、ステップＳ１０２に戻る。
【００３６】
ステップＳ１０４において、第１のディスプレイ１０１の周辺に第２のディスプレイ１２０が検出された場合、ステップＳ１０５に移る。第２のディスプレイ１２０が検出されない場合は、マルチディスプレイ表示が不可能なためステップＳ１０２に戻る。
【００３７】
ステップＳ１０５において、ユーザがＥＰＧと番組映像とをマルチディスプレイ表示させることを選択すると、第２のディスプレイ１２０が検出されているので、デジタルテレビである第１のディスプレイ１０１にＥＰＧを前面に表示させ、また、ステップＳ１０６に移り番組映像をスマートフォンなどの第２のディスプレイに表示させる。
【００３８】
ステップＳ１０７において、ユーザがリモコン１１４にてマルチディスプレイ表示を解除させた場合、ステップＳ１０２に戻り、第１のディスプレイ１０１にＥＰＧと番組映像とを表示させる。マルチディスプレイ表示を継続する場合には、ステップＳ１０４に戻り第２のディスプレイ１２０が使用可能な状況であるかを検出する。
【００３９】
図４は実施の形態にかかるマルチディスプレイ表示装置の表示例である。
【００４０】
図４（ａ）は第１のディスプレイ１０１にＥＰＧ２０２と番組映像２０１とを表示させた場合であり、図４（ｂ）は第１のディスプレイ１０１にＥＰＧ２１１を、第２のディスプレイ１２０に番組映像２２１をマルチディスプレイ表示させたものである。
【００４１】
図４（ａ）について説明する。図４（ａ）では、第１のディスプレイ１０１において、ＥＰＧと番組映像とを同一の画面内に表示させることを選択した場合を表す。
【００４２】
図４（ａ）に示したように、第１のディスプレイ１０１には、番組映像２０１、ＥＰＧ２０２、番組情報２０３とを含んだ画面２００が表示されている。
【００４３】
番組映像２０１は、視聴中の番組の映像である。ＥＰＧ２０２は、放送波から取得されたＥＰＧである。番組情報２０３は、日付情報や、ＥＰＧ２０２でカーソルが選択されている箇所の情報を表示する領域である。
【００４４】
図４（ａ）に示したように、第１のディスプレイ１０１には番組映像２０１、ＥＰＧ２０２等が表示され、画面内の一定領域を番組映像２０１が占める。このため、ＥＰＧ２０２が表示できる領域は、第１のディスプレイ１０１で表示できる最大の大きさに対しては狭くなる。
【００４５】
図４の（ｂ）について説明する。図４（ｂ）では、第１のディスプレイ１０１にはＥＰＧを表示し、第２のディスプレイ１２０には番組映像を表示させることを選択した場合を表す。
【００４６】
図４（ｂ）に示したように、第１のディスプレイ１０１には、ＥＰＧ２１１、番組情報２１２等を含んだ画面２１０が表示される。また、第２のディスプレイ１２０には、番組映像２２１を含んだ画面２２０が表示される。
【００４７】
ＥＰＧ２１１は、放送波から取得されたＥＰＧである。番組情報２１２は、日付情報や、ＥＰＧ２１１でカーソルが選択されている箇所の情報を表示する領域である。番組映像２２１は、視聴中の番組の映像である。第１のディスプレイ１０１で受信された映像信号は、リサイズ処理されて第２のディスプレイ１２０で表示するのに適した大きさとなっている。
【００４８】
図４（ｂ）に示したように、第１のディスプレイ１０１には、ＥＰＧ２１１、番組情報２１２等が表示され、画面内の大部分の領域をＥＰＧ２１１が占める。このため、画面２００の場合と比べて画面２１０の方が、ＥＰＧを表示するための領域が大きくなり、より多くの情報を表示することができる。その際には、視聴中の画面２２０のように第２のディスプレイ１２０に表示されるため、視聴中の番組が途切れることなく視聴し続けることができる。
【００４９】
なお、第２のディスプレイ１２０は、専用の端末を用いて構成すると、付加情報などを表示させる場合には、限られた製品でしか対応できないことになるかもしれない。汎用的に用いられるように、例えば、第１のディスプレイ１０１と第２のディスプレイとの間は、ＤＬＮＡなどの標準的に定められたプロトコルを用いて接続するように構成しても構わない。
【産業上の利用可能性】
【００５０】
本発明は、家庭用のテレビなどにおけるマルチディスプレイ表示装置として有用である。
【符号の説明】
【００５１】
１００  マルチディスプレイ表示装置
１０１  第１のディスプレイ
１０２  番組映像
１０３  ＥＰＧ
１０４  表示内容決定部
１０５  主画面映像生成部
１０６  主画面映像表示部
１０７  副画面映像生成部
１０８  フォーマット変換部
１０９  画質調整部
１１０  データ転送部
１１１  ディスプレイ選択部
１１２  ディスプレイ間通信部
１１３  ディスプレイ情報取得部
１１４  リモコン
１１５  ユーザ選択部
１２０  第２のディスプレイ
１２１  副画面映像受信部
１２２  副画面映像表示部
２００  画面
２０１  番組映像
２０２  ＥＰＧ
２０３  番組情報
２１０  画面
２１１  ＥＰＧ
２１２  番組情報
２２０  画面
２２１  番組映像
【図１】
2014123802.tif 000003
【図２】
2014123802.tif 000004
【図３】
2014123802.tif 000005
【図４】
2014123802.tif 000006